(57)【要約】【課題】年間消費電力量の更なる低減が可能な自動販売機を提供する。【解決手段】自動販売機は、ピークカット運転する期間を設定するためのピークカット期間設定手段１と、ピークカット運転する期間におけるピークカット運転する時間帯を設定するためのピークカット時間帯設定手段２と、現在の年月日、曜日、時間を示すカレンダー情報を出力するカレンダー手段３と、商品を収納する庫内を冷却または加熱する庫内温度調節手段４と、庫内温度調節手段４の運転を制御する運転制御手段５とを有し、運転制御手段５は、カレンダー手段３のカレンダー情報がピークカット期間設定手段１で設定された期間内でピークカット時間帯設定手段２で設定された時間帯に入っている間は、冷却販売する商品が収納された庫内の温度が上昇して所定の上限温度に達した場合等のピークカット運転を解除する所定条件が満たされない限り、庫内温度調節手段４を停止する。【選択図】図１
2013065141.tif 000002
【特許請求の範囲】
【請求項１】
ピークカット運転する期間を設定するためのピークカット期間設定手段と、ピークカット運転する期間におけるピークカット運転する時間帯を設定するためのピークカット時間帯設定手段と、現在の年月日、曜日、時間を示すカレンダー情報を出力するカレンダー手段と、商品を収納する庫内を冷却または加熱する庫内温度調節手段と、前記庫内温度調節手段の運転を制御する運転制御手段とを有し、前記運転制御手段は、前記カレンダー手段のカレンダー情報が前記ピークカット期間設定手段で設定された期間内で前記ピークカット時間帯設定手段で設定された時間帯に入っている間は前記庫内温度調節手段を停止することを特徴とする自動販売機。
【請求項２】
前記ピークカット期間設定手段は、月単位でピークカット運転する期間を設定可能に構成されることを特徴とする請求項１に記載の自動販売機。
【請求項３】
前記ピークカット期間設定手段は、ピークカット運転する期間を複数設定可能に構成されることを特徴とする請求項１または２に記載の自動販売機。
【請求項４】
前記ピークカット時間帯設定手段は、月毎にピークカット運転する時間帯を設定可能に構成されることを特徴とする請求項２に記載の自動販売機。
【請求項５】
前記ピークカット時間帯設定手段は、前記ピークカット期間設定手段で設定された複数の期間毎にピークカット運転する時間帯を設定可能に構成されることを特徴とする請求項３に記載の自動販売機。
【請求項６】
前記ピークカット期間設定手段は、ピークカット期間に休日を含む設定が可能に構成されていることを特徴とする請求項１から５のいずれか一項に記載の自動販売機。
【請求項７】
前記カレンダー手段のカレンダー情報が所定条件を満たした場合にピークカット運転の対象を複数の前記庫内温度調節手段の内の特定の庫内温度調節手段に限定するためのピークカット対象限定手段を有し、前記運転制御手段は、前記カレンダー手段のカレンダー情報が前記所定条件を満たした場合に複数の前記庫内温度調節手段の内で前記ピークカット対象限定手段で限定されていない庫内温度調節手段についてはピークカット運転のために停止しないことを特徴とする請求項１から６のいずれか一項に記載の自動販売機。
【請求項８】
前記ピークカット対象限定手段により、前記カレンダー手段のカレンダー情報が所定の冬季条件を満たした場合にピークカット運転の対象を複数の前記庫内温度調節手段の内の庫内加熱手段に限定した場合、前記運転制御手段は、前記カレンダー手段のカレンダー情報が前記冬季条件を満たした場合に複数の前記庫内温度調節手段の内で前記庫内加熱手段以外の庫内温度調節手段についてはピークカット運転のために停止しないことを特徴とする請求項７に記載の自動販売機。
【請求項９】
ピークカット運転中にピークカット運転を解除する所定条件を満たした場合にピークカット運転を解除するかしないかを設定するピークカット解除設定手段を備え、前記ピークカット解除設定手段でピークカット運転を解除する設定をした場合には、前記運転制御手段は、ピークカット運転中にピークカット運転を解除する所定条件を満たせば前記ピークカット時間帯設定手段で設定された時間帯から外れなくてもピークカット運転を解除し、逆に、前記ピークカット解除設定手段でピークカット運転を解除しない設定をした場合には、前記運転制御手段は、ピークカット運転中にピークカット運転を解除する所定条件を満たしても前記ピークカット時間帯設定手段で設定された時間帯から外れるまで前記庫内温度調節手段を停止することを特徴とする請求項１から８のいずれか一項に記載の自動販売
機。
【請求項１０】
自動販売機の扉の開放時間を計測する扉開放時間計測手段を有し、ピークカット運転中に前記扉開放時間計測手段で計測した前記扉の開放時間が所定時間以上になった場合に、前記運転制御手段は、所定条件を満たすまでピークカット運転を解除して前記庫内温度調節手段を連続運転することを特徴とする請求項１から９のいずれか一項に記載の自動販売機。
【発明の詳細な説明】
【技術分野】
【０００１】
本発明は、缶、瓶、ＰＥＴボトルのような容器に入った飲料等の商品を冷却または加熱して販売する自動販売機に関する。
【背景技術】
【０００２】
近年、日本全国に設置されているこの種の飲料自動販売機では、夏場の電力需要を平準化するために、７〜９月の３ヶ月間の平日は、電力需要の少ない午前中から午後１時までの間に商品を冷やし込み、午後１〜４時の３時間は冷却装置の運転を停止するピークカット機能を有している。
【０００３】
このピークカット機能は、自動販売機に内蔵されるマイコンでカレンダー制御され、出荷時設定になっている。
【０００４】
また、ピークカット運転により冷却装置の運転を停止している時に、収納された庫内の温度が上昇して所定の上限温度に達した場合は、商品価値を損なわないように、通常運転に戻るようにしている（例えば、特許文献１参照）。
【先行技術文献】
【特許文献】
【０００５】
【特許文献１】特開平８−２３５４２９号公報
【発明の概要】
【発明が解決しようとする課題】
【０００６】
しかしながら、従来の技術では、日本国内の何処に設置する自動販売機であっても、ピークカット運転を行う特定時期の特定時間帯を、７〜９月の３ヶ月間の平日の午後１〜４時の３時間に固定していたため、設置する地域や場所や季節によって、ピークカット運転の運転時間の拡大や、ピークカット運転を行う条件の多様化により、年間消費電力量の更なる低減が可能な場合であっても、年間消費電力量の更なる低減ができなかった。
【０００７】
本発明は、上記課題に鑑み、年間消費電力量の更なる低減が可能な自動販売機を提供することを目的としている。
【課題を解決するための手段】
【０００８】
上記目的を達成するために、本発明の自動販売機は、ピークカット運転する期間を設定するためのピークカット期間設定手段と、ピークカット運転する期間におけるピークカット運転する時間帯を設定するためのピークカット時間帯設定手段と、現在の年月日、曜日、時間を示すカレンダー情報を出力するカレンダー手段と、商品を収納する庫内を冷却または加熱する庫内温度調節手段と、前記庫内温度調節手段の運転を制御する運転制御手段とを有している。
【０００９】
ここで、前記運転制御手段は、前記カレンダー手段のカレンダー情報が前記ピークカット期間設定手段で設定された期間内で前記ピークカット時間帯設定手段で設定された時間帯に入っている間は前記庫内温度調節手段を停止するのである。
【００１０】
上記構成において、ピークカット期間設定手段により、ピークカット運転する期間を自動販売機の設置する地域や場所の気温状況、電力事情（省エネ目標）、利用状況を考慮して柔軟に設定できると共に、ピークカット時間帯設定手段により、ピークカット運転する
期間におけるピークカット運転する時間帯を自動販売機の設置する地域や場所の気温状況、電力事情（省エネ目標）、利用状況を考慮して柔軟に設定できる。
【００１１】
これにより、原則として、従来の７〜９月の３ヶ月間の平日の午後１〜４時の３時間を含むように、ピークカット運転する期間とピークカット運転する期間におけるピークカット運転する時間帯とを、それぞれ、ピークカット期間設定手段とピークカット時間帯設定手段とで設定することにより、自動販売機の年間消費電力量の更なる低減が可能になる。
【発明の効果】
【００１２】
本発明の自動販売機は、ピークカット運転する期間を自動販売機の設置する地域や場所の気温状況、電力事情（省エネ目標）、利用状況を考慮して柔軟に設定できると共に、ピークカット運転する期間におけるピークカット運転する時間帯を自動販売機の設置する地域や場所の気温状況、電力事情（省エネ目標）、利用状況を考慮して柔軟に設定できる。
【００１３】
そこで、原則として、従来の７〜９月の３ヶ月間の平日の午後１〜４時の３時間を含むように、ピークカット運転する期間とピークカット運転する期間におけるピークカット運転する時間帯とを、それぞれ、設定することにより、自動販売機の年間消費電力量を従来よりも更に低減することができる。
【図面の簡単な説明】
【００１４】
【図１】本発明の実施の形態１における自動販売機のピークカット運転に関連する要部の制御ブロック図
【図２】同実施の形態における自動販売機の通常運転とピークカット運転の切り替え動作を示すフローチャート
【図３】本発明の実施の形態２における自動販売機のピークカット運転に関連する要部の制御ブロック図
【図４】同実施の形態における自動販売機の通常運転とピークカット運転の切り替え動作を示すフローチャート
【図５】本発明の実施の形態３における自動販売機のピークカット運転に関連する要部の制御ブロック図
【図６】同実施の形態における自動販売機の通常運転とピークカット運転の切り替え動作を示すフローチャート
【図７】本発明の実施の形態４における自動販売機のピークカット運転に関連する要部の制御ブロック図
【図８】同実施の形態における自動販売機の通常運転とピークカット運転と連続運転の切り替え動作を示すフローチャート
【発明を実施するための形態】
【００１５】
第１の発明は、ピークカット運転する期間を設定するためのピークカット期間設定手段と、ピークカット運転する期間におけるピークカット運転する時間帯を設定するためのピークカット時間帯設定手段と、現在の年月日、曜日、時間を示すカレンダー情報を出力するカレンダー手段と、商品を収納する庫内を冷却または加熱する庫内温度調節手段と、前記庫内温度調節手段の運転を制御する運転制御手段とを有し、前記運転制御手段は、前記カレンダー手段のカレンダー情報が前記ピークカット期間設定手段で設定された期間内で前記ピークカット時間帯設定手段で設定された時間帯に入っている間は前記庫内温度調節手段を停止することを特徴とする自動販売機である。
【００１６】
上記構成において、ピークカット期間設定手段により、ピークカット運転する期間を自動販売機の設置する地域や場所の気温状況、電力事情（省エネ目標）、利用状況を考慮して柔軟に設定できると共に、ピークカット時間帯設定手段により、ピークカット運転する
期間におけるピークカット運転する時間帯を自動販売機の設置する地域や場所の気温状況、電力事情（省エネ目標）、利用状況を考慮して柔軟に設定できる。
【００１７】
そして、前記運転制御手段は、前記カレンダー手段のカレンダー情報が前記ピークカット期間設定手段で設定された期間内で前記ピークカット時間帯設定手段で設定された時間帯に入っている間は前記庫内温度調節手段を停止する（ピークカット運転を行う）。
【００１８】
したがって、ピークカット運転する期間を自動販売機の設置する地域や場所の気温状況、電力事情（省エネ目標）、利用状況を考慮して柔軟に設定できると共に、ピークカット運転する期間におけるピークカット運転する時間帯を自動販売機の設置する地域や場所の気温状況、電力事情（省エネ目標）、利用状況を考慮して柔軟に設定できる。
【００１９】
そこで、原則として、従来の７〜９月の３ヶ月間の平日の午後１〜４時の３時間を含むように、ピークカット運転する期間とピークカット運転する期間におけるピークカット運転する時間帯とを、それぞれ、設定することにより、自動販売機の年間消費電力量を従来よりも更に低減することができる。
【００２０】
第２の発明は、第１の発明における前記ピークカット期間設定手段が、月単位でピークカット運転する期間を設定可能に構成されることを特徴とするものであり、ピークカット運転する期間を月単位で設定できるので、週単位や日単位でピークカット運転する期間を設定する場合と比べて、ピークカット運転する期間の設定作業が容易に行える。
【００２１】
第３の発明は、第１または第２の発明における前記ピークカット期間設定手段が、ピークカット運転する期間を複数設定可能に構成されることを特徴とするものであり、ピークカット運転する期間を複数設定できる。
【００２２】
そこで、夏場に加えて冬場にも、ピークカット運転を行って、飲料の加熱のための消費電力量を低減したり、例えば、６月と１０月に７〜９月よりもピークカット運転条件が緩いピークカット運転を行うようにすることにより、自動販売機の年間消費電力量を従来よりも更に低減することができる。
【００２３】
第４の発明は、第２の発明における前記ピークカット時間帯設定手段が、月毎にピークカット運転する時間帯を設定可能に構成されることを特徴とするものであり、月毎にピークカット運転する時間帯を設定できる。
【００２４】
例えば、８月のピークカット運転する時間帯を７月や９月のピークカット運転する時間帯より長くすることにより、自動販売機の年間消費電力量を従来よりも更に低減することができる。
【００２５】
第５の発明は、第３の発明における前記ピークカット時間帯設定手段が、前記ピークカット期間設定手段で設定された複数の期間毎にピークカット運転する時間帯を設定可能に構成されることを特徴とするものであり、複数のピークカット期間毎にピークカット運転する時間帯を設定できる。
【００２６】
例えば、夏場に加えて冬場にもピークカット運転を行う場合は、冬場のピークカット運転に適した時間帯を冬場に設定して、冬場の飲料の加熱のための消費電力量を効果的に低減できる。
【００２７】
また、例えば、６月と、７〜９月と、１０月の３つの期間でピークカット運転を行う設定をした場合は、７〜９月よりも電力需要の少ない６月と１０月のピークカット運転する
時間帯を７〜９月のピークカット運転する時間帯より短くして、６月と１０月の時間帯による商品温度の変動を小さくして商品価値を高めることができる。
【００２８】
第６の発明は、第１から第５の発明における前記ピークカット期間設定手段が、ピークカット期間に休日を含む設定が可能に構成されていることを特徴とするものである。
【００２９】
従来は、７〜９月の３ヶ月間は、平日に限定してピークカット運転していたが、休日もピークカット運転するように設定することにより、自動販売機の年間消費電力量を従来よりも更に低減することができる。
【００３０】
第７の発明は、第１から第６の発明における前記カレンダー手段のカレンダー情報が所定条件を満たした場合にピークカット運転の対象を複数の前記庫内温度調節手段の内の特定の庫内温度調節手段に限定するためのピークカット対象限定手段を有し、前記運転制御手段は、前記カレンダー手段のカレンダー情報が前記所定条件を満たした場合に複数の前記庫内温度調節手段の内で前記ピークカット対象限定手段で限定されていない庫内温度調節手段についてはピークカット運転のために停止しないことを特徴とするものである。
【００３１】
例えば、冷却または加熱のための複数の庫内温度調節手段のいずれかが、他より消費電力量が少ない場合に、その消費電力量が少ない庫内温度調節手段については、ピークカット運転のために停止しないようにすることにより、商品価値を高めることができる。
【００３２】
第８の発明は、第７の発明における前記ピークカット対象限定手段により、前記カレンダー手段のカレンダー情報が所定の冬季条件を満たした場合にピークカット運転の対象を複数の前記庫内温度調節手段の内の庫内加熱手段に限定した場合、前記運転制御手段は、前記カレンダー手段のカレンダー情報が前記冬季条件を満たした場合に複数の前記庫内温度調節手段の内で前記庫内加熱手段以外の庫内温度調節手段についてはピークカット運転のために停止しないことを特徴とするものである。
【００３３】
例えば、商品の加熱に電気ヒータよりも消費電力量が少ないヒートポンプを用いている場合に、ヒートポンプによる加温運転をピークカット運転のために停止しないようにすることにより、商品価値を高めることができる。
【００３４】
第９の発明は、第１から第８の発明に加えて、ピークカット運転中にピークカット運転を解除する所定条件を満たした場合にピークカット運転を解除するかしないかを設定するピークカット解除設定手段を備え、前記ピークカット解除設定手段でピークカット運転を解除する設定をした場合には、前記運転制御手段は、ピークカット運転中にピークカット運転を解除する所定条件を満たせば前記ピークカット時間帯設定手段で設定された時間帯から外れなくてもピークカット運転を解除し、逆に、前記ピークカット解除設定手段でピークカット運転を解除しない設定をした場合には、前記運転制御手段は、ピークカット運転中にピークカット運転を解除する所定条件を満たしても前記ピークカット時間帯設定手段で設定された時間帯から外れるまで前記庫内温度調節手段を停止することを特徴とするものである。
【００３５】
従来では、ピークカット運転中にピークカット運転を解除する所定条件を満たした場合、例えば、ピークカット運転により冷却装置の運転を停止している時に、冷却販売する商品が収納された庫内の温度が上昇して所定の上限温度に達した場合には、商品価値を損なわないように、通常運転に戻るようにしていたが、ピークカット解除設定手段でピークカット運転を解除しない設定をした場合には、ピークカット運転を解除する所定条件を満たしてもピークカット時間帯から外れるまで庫内温度調節手段を停止できる。
【００３６】
そのため、多少、商品価値を損なっても、消費電力量低減を優先しなければならない事情のある設置場所の自動販売機については、消費電力量低減を優先させる設定をして、自動販売機の年間消費電力量を従来よりも更に低減することができる。
【００３７】
第１０の発明は、第１から第９の発明に加えて、自動販売機の扉の開放時間を計測する扉開放時間計測手段を有し、ピークカット運転中に前記扉開放時間計測手段で計測した前記扉の開放時間が所定時間以上になった場合に、前記運転制御手段は、所定条件を満たすまでピークカット運転を解除して前記庫内温度調節手段を連続運転することを特徴とするものである。
【００３８】
上記構成において、ピークカット運転中に扉開放時間計測手段で計測した扉の開放時間が前記所定時間以上になった場合に、運転制御手段は、所定条件を満たすまでピークカット運転を解除して庫内温度調節手段を連続運転するので、ピークカット運転中に扉が所定時間以上開放された場合に、庫内温度調節手段を連続運転して商品温度を元に戻した（補充された商品を保存温度にした）後に、ピークカット運転に戻すことができる。
【００３９】
したがって、ピークカット運転中に、扉が所定時間以上開放されたことが原因で、冷却の場合、収納された庫内の温度が上昇（加温の場合は下降）して所定の上限温度（加温の場合は下限温度）に達すると、通常運転に戻す従来の自動販売機と異なる制御で、自動販売機の年間消費電力量の低減、または、電力需要の平準化に貢献できる。
【００４０】
以下、本発明の実施の形態について、図面を参照しながら説明する。なお、この実施の形態によって本発明が限定されるものではない。
【００４１】
（実施の形態１）
図１は本発明の実施の形態１における自動販売機のピークカット運転に関連する要部の制御ブロック図、図２は同実施の形態における自動販売機の通常運転とピークカット運転の切り替え動作を示すフローチャートである。
【００４２】
図１に示すように、本実施の形態の自動販売機は、ピークカット運転する期間を設定するためのピークカット期間設定手段１と、ピークカット運転する期間におけるピークカット運転する時間帯を設定するためのピークカット時間帯設定手段２と、現在の年月日、曜日、時間を示すカレンダー情報を出力するカレンダー手段３と、商品を収納する庫内を冷却または加熱する庫内温度調節手段４と、庫内温度調節手段４の運転を制御する運転制御手段５とを有する。
【００４３】
そして、運転制御手段５は、カレンダー手段３のカレンダー情報がピークカット期間設定手段１で設定された期間内でピークカット時間帯設定手段２で設定された時間帯に入っている間は、冷却販売する商品が収納された庫内の温度が上昇して所定の上限温度に達した場合等のピークカット運転を解除する所定条件が満たされない限り、庫内温度調節手段４を停止する。
【００４４】
なお、カレンダー手段３と、運転制御手段５は、自動販売機の主制御部６内に構成される。また、ピークカット期間設定手段１と、ピークカット時間帯設定手段２は、ピークカット設定手段７内に構成される。
【００４５】
また、庫内温度調節手段４は、圧縮機と庫外熱交換器（凝縮器）と減圧手段と庫内熱交換器（蒸発器）とを順次環状に連接した冷凍サイクルと、庫外熱交換器用送風機と、庫内熱交換器用送風機とを有する冷却システム、または、冷凍サイクルの庫外熱交換器を蒸発器、庫内熱交換器を凝縮器に切り替え可能にした以外は冷却システムと同様の構成のヒー
トポンプ冷却加温システム、または、庫内を加熱する電気ヒータで構成される。
【００４６】
ピークカット期間設定手段１は、ピークカットを実施する期間の開始日と終了日とを設定することによりピークカット期間を設定することも可能であるが、期間の設定作業を容易にするために、月単位でピークカット運転する期間を設定できるようにしている。
【００４７】
なお、月単位の設定は、ピークカットを実施する月を、それぞれ入力または選択するようにしても、ピークカットを実施する期間の開始する月と終了する月とを設定するようにしても構わない。
【００４８】
ピークカット時間帯設定手段２は、ピークカット運転する期間におけるピークカットを開始する時刻と終了する時刻とを設定することにより、ピークカット運転する時間帯を設定する。
【００４９】
カレンダー手段３は、特定の商品収納室（庫内）で季節により加温販売可能な商品を加温販売する場合や、季節により庫内設定温度を変える場合にも、利用され、最初に現在の年月日、時刻を手動で設定するものでも、標準電波を受信する等して自動で時刻合わせするものでも構わない。
【００５０】
以上のように構成された本実施の形態の自動販売機について、以下、図２を参照しながら、通常運転とピークカット運転の切り替え動作を説明する。
【００５１】
なお、ここでは、最初は、ピークカット期間設定手段１で設定された期間前の状態（通常運転中）であったと仮定して、説明する。
【００５２】
まず、ＳＴＥＰ１で、運転制御手段５が、カレンダー手段３が出力しているカレンダー情報（現在の年月日）とピークカット期間設定手段１で設定された期間とを比較する。
【００５３】
そして、ＳＴＥＰ１での比較の結果、まだ、カレンダー手段３が出力しているカレンダー情報（現在の年月日）がピークカット期間設定手段１で設定された期間内に入っていなければ、ＳＴＥＰ１をＮＯ側に分岐して、庫内温度調節手段４は通常運転を継続する（ＳＴＥＰ４からエンドに進んだ後、スタートに戻る）。
【００５４】
時間の経過により、カレンダー手段３が出力しているカレンダー情報（現在の年月日）がピークカット期間設定手段１で設定された期間内に入れば、ＳＴＥＰ１をＹＥＳ側に分岐して、ＳＴＥＰ２に進む。
【００５５】
次のＳＴＥＰ２では、運転制御手段５が、カレンダー手段３が出力しているカレンダー情報（現在の時刻）とピークカット時間帯設定手段２で設定された時間帯とを比較する。
【００５６】
そして、ＳＴＥＰ２での比較の結果、また、カレンダー手段３が出力しているカレンダー情報（現在の時刻）がピークカット時間帯設定手段２で設定された時間帯内に入っていなければ、ＳＴＥＰ２をＮＯ側に分岐して、庫内温度調節手段４は通常運転を継続（ＳＴＥＰ４からエンドに進んだ後、スタートに戻る）。
【００５７】
時間の経過により、カレンダー手段３が出力しているカレンダー情報（現在の時刻）がピークカット時間帯設定手段２で設定された時間帯内に入れば、ＳＴＥＰ２をＹＥＳ側に分岐して、ＳＴＥＰ３に進み、運転制御手段５が庫内温度調節手段４を停止して、ピークカット運転を開始する。
【００５８】
そして、カレンダー手段３が出力しているカレンダー情報（現在の時刻）がピークカット時間帯設定手段２で設定された時間帯内に入っている間は、ＳＴＥＰ１をＹＥＳ側に分岐し、ＳＴＥＰ２をＹＥＳ側に分岐して、ＳＴＥＰ３に進み、ピークカット運転を継続する（庫内温度調節手段４は停止）。
【００５９】
時間の経過により、カレンダー手段３が出力しているカレンダー情報（現在の時刻）がピークカット時間帯設定手段２で設定された時間帯から外れると、ＳＴＥＰ２をＮＯ側に分岐して、次のＳＴＥＰ４で、運転制御手段５が庫内温度調節手段４の運転を再開（ピークカット運転を終了）する。
【００６０】
なお、カレンダー手段３のカレンダー情報がピークカット期間設定手段１で設定された期間内でピークカット時間帯設定手段２で設定された時間帯に入っている間（ピークカット運転中）であっても、冷却販売する商品が収納された庫内の温度が上昇して商品価値に影響が出てくる所定のピークカット解除温度に到達した場合や加温販売する商品が収納された庫内の温度が低下して商品価値に影響が出てくる所定のピークカット解除温度に到達した場合等のピークカット運転を解除する所定条件が満たされた場合は、運転制御手段５が庫内温度調節手段４の運転を再開（ピークカット運転を終了）する。
【００６１】
なお、本実施の形態では、通常運転とピークカット運転とを切り替える動作を説明しているが、ピークカット運転の開始する時刻の直前の数時間の間については、庫内温度と庫内設定温度とに基づいて庫内温度が所定の商品の保存温度になるように庫内温度調節手段４を運転する、所謂、通常運転を行う代わりに、庫内温度に関係なく庫内温度調節手段４を強制的に連続運転させても構わない。
【００６２】
ここで、庫内が冷却に設定されている時のピークカット運転とは、運転制御手段５により、庫内温度調節手段４の冷却システムの圧縮機と送風機の運転を停止することにより、冷却運転を停止することである。
【００６３】
また、庫内が加温に設定されている時のピークカット運転とは、運転制御手段５により、庫内温度調節手段４のヒートポンプ冷却加温システムと電気ヒータの両方、または、ヒートポンプ冷却加温システムでの加熱に比べて加熱時の消費電力量が多い電気ヒータのみを停止することである。
【００６４】
以上説明したように本実施の形態の自動販売機は、ピークカット運転する期間を設定するためのピークカット期間設定手段１と、ピークカット運転する期間におけるピークカット運転する時間帯を設定するためのピークカット時間帯設定手段２と、現在の年月日、曜日、時間を示すカレンダー情報を出力するカレンダー手段３と、商品を収納する庫内を冷却または加熱する庫内温度調節手段４と、庫内温度調節手段４の運転を制御する運転制御手段５とを有している。
【００６５】
そして、運転制御手段５は、カレンダー手段３のカレンダー情報がピークカット期間設定手段１で設定された期間内でピークカット時間帯設定手段２で設定された時間帯に入っている間は、冷却販売する商品が収納された庫内の温度が上昇して所定の上限温度に達した場合等のピークカット運転を解除する所定条件が満たされない限り、庫内温度調節手段４を停止するのである。
【００６６】
上記構成において、ピークカット期間設定手段１により、ピークカット運転する期間を自動販売機の設置する地域や場所の気温状況、電力事情（省エネ目標）、利用状況を考慮して柔軟に設定できると共に、ピークカット時間帯設定手段２により、ピークカット運転する期間におけるピークカット運転する時間帯を自動販売機の設置する地域や場所の気温
状況、電力事情（省エネ目標）、利用状況を考慮して柔軟に設定できる。
【００６７】
そして、運転制御手段５は、カレンダー手段３のカレンダー情報がピークカット期間設定手段１で設定された期間内でピークカット時間帯設定手段２で設定された時間帯に入っている間は庫内温度調節手段４を停止する（ピークカット運転を行う）。
【００６８】
したがって、ピークカット運転する期間を自動販売機の設置する地域や場所の気温状況、電力事情（省エネ目標）、利用状況を考慮して柔軟に設定できると共に、ピークカット運転する期間におけるピークカット運転する時間帯を自動販売機の設置する地域や場所の気温状況、電力事情（省エネ目標）、利用状況を考慮して柔軟に設定できる。
【００６９】
そこで、原則として、従来の７〜９月の３ヶ月間の平日の午後１〜４時の３時間を含むように、ピークカット運転する期間とピークカット運転する期間におけるピークカット運転する時間帯とを、それぞれ、設定することにより、自動販売機の年間消費電力量を従来よりも更に低減することができる。
【００７０】
さらに、ピークカット期間設定手段１が、月単位でピークカット運転する期間を設定可能に構成される場合は、ピークカット運転する期間を月単位で設定できるので、週単位や日単位でピークカット運転する期間を設定する場合と比べて、ピークカット運転する期間の設定作業が容易に行える。
【００７１】
さらに、ピークカット期間設定手段１が、ピークカット運転する期間を複数設定可能に構成される場合は、ピークカット運転する期間を複数設定できる。
【００７２】
そこで、夏場に加えて冬場にも、ピークカット運転を行って、飲料の加熱のための消費電力量を低減したり、例えば、６月と１０月に７〜９月よりもピークカット運転条件が緩いピークカット運転を行うようにすることにより、自動販売機の年間消費電力量を従来よりも更に低減することができる。
【００７３】
また、ピークカット期間設定手段１が、月単位でピークカット運転する期間を設定可能に構成される場合は、ピークカット時間帯設定手段２が、月毎にピークカット運転する時間帯を設定可能に構成されることが好ましい。
【００７４】
そのようにした場合は、例えば、８月のピークカット運転する時間帯を７月や９月のピークカット運転する時間帯より長くすることにより、自動販売機の年間消費電力量を従来よりも更に低減することができる。
【００７５】
また、ピークカット期間設定手段１が、ピークカット運転する期間を複数設定可能に構成される場合は、ピークカット時間帯設定手段２が、ピークカット期間設定手段１で設定された複数の期間毎にピークカット運転する時間帯を設定可能に構成されることが好ましい。
【００７６】
そのようにした場合は、例えば、夏場に加えて冬場にもピークカット運転を行う場合は、冬場のピークカット運転に適した時間帯を冬場に設定して、冬場の飲料の加熱のための消費電力量を効果的に低減できる。
【００７７】
また、例えば、６月と、７〜９月と、１０月の３つの期間でピークカット運転を行う設定をした場合は、７〜９月よりも電力需要の少ない６月と１０月のピークカット運転する時間帯を７〜９月のピークカット運転する時間帯より短くして、６月と１０月の時間帯による商品温度の変動を小さくして商品価値を高めることができる。
【００７８】
また、従来は、７〜９月の３ヶ月間は、平日に限定してピークカット運転していたが、ピークカット期間設定手段１を、ピークカット期間に休日を含む設定が可能に構成し、休日もピークカット運転するように設定することにより、自動販売機の年間消費電力量を従来よりも更に低減することができる。
【００７９】
（実施の形態２）
図３は本発明の実施の形態２における自動販売機のピークカット運転に関連する要部の制御ブロック図、図４は同実施の形態における自動販売機の通常運転とピークカット運転の切り替え動作を示すフローチャートである。
【００８０】
本実施の形態は、図３に示すように、実施の形態１におけるピークカット設定手段７に、カレンダー手段３のカレンダー情報が所定条件を満たした場合にピークカット運転の対象を複数の庫内温度調節手段４，４ａの内の特定の庫内温度調節手段４ａに限定するためのピークカット対象限定手段８を加えている。
【００８１】
そして、運転制御手段５が、カレンダー手段３のカレンダー情報が所定条件を満たした場合に複数の庫内温度調節手段４，４ａの内でピークカット対象限定手段８で限定されていない庫内温度調節手段４についてはピークカット運転のために停止しないものである。
【００８２】
もう少し具体的に説明すれば、ピークカット対象限定手段８により、カレンダー手段３のカレンダー情報が所定の冬季条件を満たした場合にピークカット運転の対象を複数の庫内温度調節手段４，４ａの内の庫内加熱手段（電気ヒータ）４ａに限定した場合、運転制御手段５は、カレンダー手段３のカレンダー情報が冬季条件を満たした場合に複数の庫内温度調節手段４，４ａの内で庫内加熱手段（電気ヒータ）４ａ以外の庫内温度調節手段（冷却システムとヒートポンプ冷却加温システム）４についてはピークカット運転のために停止しないものである。
【００８３】
その他の構成は、実施の形態１と同様の構成であり、実施の形態１と同一構成については、同一符号を付して、その詳細な説明は省略する。
【００８４】
以上のように構成された本実施の形態の自動販売機について、以下、図４を参照しながら、通常運転とピークカット運転の切り替え動作を説明する。
【００８５】
なお、ここでは、本実施の形態の自動販売機が、冷却販売する商品と加熱販売する商品とを収納し、庫内温度調節手段４，４ａとして、庫内温度調節手段（冷却システムとヒートポンプ冷却加温システム）４と庫内加熱手段（電気ヒータ）４ａを用いており、最初は、ピークカット期間設定手段１で設定された冬季のピークカット期間前の状態（通常運転中）であったと仮定して、説明する。
【００８６】
まず、ＳＴＥＰ１で、運転制御手段５が、カレンダー手段３が出力しているカレンダー情報（現在の年月日）とピークカット期間設定手段１で設定された期間とを比較する。
【００８７】
そして、ＳＴＥＰ１での比較の結果、まだ、カレンダー手段３が出力しているカレンダー情報（現在の年月日）がピークカット期間設定手段１で設定された冬季のピークカット期間内に入っていなければ、ＳＴＥＰ１をＮＯ側に分岐して、庫内温度調節手段４，４ａは通常運転を継続する（ＳＴＥＰ５からエンドに進んだ後、スタートに戻る）。
【００８８】
時間の経過により、カレンダー手段３が出力しているカレンダー情報（現在の年月日）がピークカット期間設定手段１で設定された冬季のピークカット期間内に入れば、ＳＴＥ
Ｐ１をＹＥＳ側に分岐して、ＳＴＥＰ２に進む。
【００８９】
次のＳＴＥＰ２では、運転制御手段５が、カレンダー手段３が出力しているカレンダー情報（現在の時刻）とピークカット時間帯設定手段２で設定された冬季のピークカット時間帯とを比較する。
【００９０】
そして、ＳＴＥＰ２での比較の結果、また、カレンダー手段３が出力しているカレンダー情報（現在の時刻）がピークカット時間帯設定手段２で設定された冬季のピークカット時間帯内に入っていなければ、ＳＴＥＰ２をＮＯ側に分岐して、庫内温度調節手段４，４ａは通常運転を継続（ＳＴＥＰ５からエンドに進んだ後、スタートに戻る）。
【００９１】
時間の経過により、カレンダー手段３が出力しているカレンダー情報（現在の時刻）がピークカット時間帯設定手段２で設定された冬季のピークカット時間帯内に入れば、ＳＴＥＰ２をＹＥＳ側に分岐して、ＳＴＥＰ３に進む。
【００９２】
次のＳＴＥＰ３では、運転制御手段５が、カレンダー手段３のカレンダー情報が冬季条件を満たした場合で庫内加熱手段（電気ヒータ）４ａが用いられているか判断する。
【００９３】
そして、ＳＴＥＰ３での判断の結果、カレンダー手段３のカレンダー情報が冬季条件を満たしており、庫内加熱手段（電気ヒータ）４ａが用いられている場合は、庫内加熱手段（電気ヒータ）４ａについては、ＳＴＥＰ４に進み、運転制御手段５が庫内加熱手段（電気ヒータ）４ａを停止して、ピークカット運転を開始する。
【００９４】
一方、庫内温度調節手段（冷却システムとヒートポンプ冷却加温システム）４については、ＳＴＥＰ３をＮＯ側に分岐して、ＳＴＥＰ５に進み、（冷却システムとヒートポンプ冷却加温システム）４については、通常運転を継続（ＳＴＥＰ５からエンドに進んだ後、スタートに戻る）。
【００９５】
そして、庫内加熱手段（電気ヒータ）４ａについては、カレンダー手段３が出力しているカレンダー情報（現在の時刻）がピークカット時間帯設定手段２で設定された冬季のピークカット時間帯内に入っている間は、ＳＴＥＰ１をＹＥＳ側に分岐し、ＳＴＥＰ２をＹＥＳ側に分岐し、ＳＴＥＰ３をＹＥＳ側に分岐して、ＳＴＥＰ４に進み、ピークカット運転を継続する（庫内加熱手段（電気ヒータ）４ａは停止）。
【００９６】
時間の経過により、カレンダー手段３が出力しているカレンダー情報（現在の時刻）がピークカット時間帯設定手段２で設定された冬季のピークカット時間帯から外れると、ＳＴＥＰ２をＮＯ側に分岐して、次のＳＴＥＰ５で、運転制御手段５が庫内加熱手段（電気ヒータ）４ａの運転を再開（ピークカット運転を終了）する。
【００９７】
以上説明したように本実施の形態の自動販売機は、ピークカット対象限定手段８により、カレンダー手段３のカレンダー情報が所定の冬季条件を満たした場合にピークカット運転の対象を複数の庫内温度調節手段４，４ａの内の庫内加熱手段（電気ヒータ）４ａに限定した場合、運転制御手段５は、カレンダー手段３のカレンダー情報が冬季条件を満たした場合に複数の庫内温度調節手段４，４ａの内で庫内加熱手段（電気ヒータ）４ａ以外の庫内温度調節手段（冷却システムとヒートポンプ冷却加温システム）４についてはピークカット運転のために停止しないことを特徴とする。
【００９８】
そして、本実施の形態の自動販売機は、相対的に消費電力量が少ない庫内温度調節手段（冷却システムとヒートポンプ冷却加温システム）４については、ピークカット運転のために停止しないようにしたことにより、商品価値を高めることができる。
【００９９】
具体的には、電気ヒータの他に、商品の加熱に電気ヒータよりも消費電力量が少ないヒートポンプを用いており、ヒートポンプによる加温運転をピークカット運転のために停止しないようにしたことにより、商品価値を高めることができる。
【０１００】
（実施の形態３）
図５は本発明の実施の形態３における自動販売機のピークカット運転に関連する要部の制御ブロック図、図６は同実施の形態における自動販売機の通常運転とピークカット運転の切り替え動作を示すフローチャートである。
【０１０１】
本実施の形態は、図５に示すように、実施の形態１におけるピークカット設定手段７に、ピークカット運転中にピークカット運転を解除する所定条件（庫内温度が商品価値に影響が出てくる所定のピークカット解除温度に到達）を満たした場合にピークカット運転を解除するかしないかを設定するピークカット解除設定手段９を備え、庫内に、庫内の温度をサーミスタ等で検知する庫内温度検知手段１０を有している。
【０１０２】
そして、ピークカット解除設定手段９でピークカット運転を解除する設定をした場合には、運転制御手段５が、ピークカット運転中にピークカット運転を解除する所定条件を満たせば（庫内温度検知手段１０により検知した庫内温度がピークカット解除温度に到達すれば）ピークカット時間帯設定手段２で設定された時間帯から外れなくてもピークカット運転を解除するものである。
【０１０３】
逆に、ピークカット解除設定手段９でピークカット運転を解除しない設定をした場合には、運転制御手段５は、ピークカット運転中にピークカット運転を解除する所定条件を満たしても（庫内温度検知手段１０により検知した庫内温度がピークカット解除温度に到達しても）ピークカット時間帯設定手段２で設定された時間帯から外れるまで庫内温度調節手段４を停止するものである。
【０１０４】
その他の構成は、実施の形態１と同様の構成であり、実施の形態１または実施の形態２と同一構成については、同一符号を付して、その詳細な説明は省略する。
【０１０５】
以上のように構成された本実施の形態の自動販売機について、以下、図６を参照しながら、通常運転とピークカット運転の切り替え動作を説明する。
【０１０６】
ここでは、ピークカット運転中にピークカット運転を解除する条件は、冷却販売する商品が収納された庫内の温度が上昇して商品価値に影響が出てくる所定のピークカット解除温度に到達した場合や加温販売する商品が収納された庫内の温度が低下して商品価値に影響が出てくる所定のピークカット解除温度に到達した場合である。
【０１０７】
最初は、ピークカット期間設定手段１で設定された期間前の状態（通常運転中）であったと仮定して、ピークカット解除設定手段９でピークカット運転を解除しない設定をしている場合から説明する。
【０１０８】
まず、ＳＴＥＰ１で、運転制御手段５が、カレンダー手段３が出力しているカレンダー情報（現在の年月日）とピークカット期間設定手段１で設定された期間とを比較する。
【０１０９】
そして、ＳＴＥＰ１での比較の結果、まだ、カレンダー手段３が出力しているカレンダー情報（現在の年月日）がピークカット期間設定手段１で設定された期間内に入っていなければ、ＳＴＥＰ１をＮＯ側に分岐して、庫内温度調節手段４は通常運転を継続する（ＳＴＥＰ５からエンドに進んだ後、スタートに戻る）。
【０１１０】
時間の経過により、カレンダー手段３が出力しているカレンダー情報（現在の年月日）がピークカット期間設定手段１で設定された期間内に入れば、ＳＴＥＰ１をＹＥＳ側に分岐して、ＳＴＥＰ２に進む。
【０１１１】
次のＳＴＥＰ２では、運転制御手段５が、カレンダー手段３が出力しているカレンダー情報（現在の時刻）とピークカット時間帯設定手段２で設定された時間帯とを比較する。
【０１１２】
そして、ＳＴＥＰ２での比較の結果、また、カレンダー手段３が出力しているカレンダー情報（現在の時刻）がピークカット時間帯設定手段２で設定された時間帯内に入っていなければ、ＳＴＥＰ２をＮＯ側に分岐して、庫内温度調節手段４は通常運転を継続（ＳＴＥＰ５からエンドに進んだ後、スタートに戻る）。
【０１１３】
時間の経過により、カレンダー手段３が出力しているカレンダー情報（現在の時刻）がピークカット時間帯設定手段２で設定された時間帯内に入れば、ＳＴＥＰ２をＹＥＳ側に分岐して、ＳＴＥＰ３に進み、ピークカット解除設定手段９でピークカット運転を解除しない設定をしていれば、ＳＴＥＰ３をＹＥＳ側に分岐して、ＳＴＥＰ４に進み、運転制御手段５が庫内温度調節手段４を停止して、ピークカット運転を開始する。
【０１１４】
そして、カレンダー手段３が出力しているカレンダー情報（現在の時刻）がピークカット時間帯設定手段２で設定された時間帯内に入っている間は、ＳＴＥＰ１をＹＥＳ側に分岐し、ＳＴＥＰ２をＹＥＳ側に分岐し、ＳＴＥＰ３をＹＥＳ側に分岐して、ＳＴＥＰ４に進み、ピークカット運転を継続する（庫内温度調節手段４は停止）。
【０１１５】
時間の経過により、カレンダー手段３が出力しているカレンダー情報（現在の時刻）がピークカット時間帯設定手段２で設定された時間帯から外れると、ＳＴＥＰ２をＮＯ側に分岐して、次のＳＴＥＰ５で、運転制御手段５が庫内温度調節手段４の運転を再開（ピークカット運転を終了）する。
【０１１６】
次に、ピークカット解除設定手段９でピークカット運転を解除する設定をしている場合を説明する。
【０１１７】
まず、ＳＴＥＰ１で、運転制御手段５が、カレンダー手段３が出力しているカレンダー情報（現在の年月日）とピークカット期間設定手段１で設定された期間とを比較する。
【０１１８】
そして、ＳＴＥＰ１での比較の結果、まだ、カレンダー手段３が出力しているカレンダー情報（現在の年月日）がピークカット期間設定手段１で設定された期間内に入っていなければ、ＳＴＥＰ１をＮＯ側に分岐して、庫内温度調節手段４は通常運転を継続する（ＳＴＥＰ５からエンドに進んだ後、スタートに戻る）。
【０１１９】
時間の経過により、カレンダー手段３が出力しているカレンダー情報（現在の年月日）がピークカット期間設定手段１で設定された期間内に入れば、ＳＴＥＰ１をＹＥＳ側に分岐して、ＳＴＥＰ２に進む。
【０１２０】
次のＳＴＥＰ２では、運転制御手段５が、カレンダー手段３が出力しているカレンダー情報（現在の時刻）とピークカット時間帯設定手段２で設定された時間帯とを比較する。
【０１２１】
そして、ＳＴＥＰ２での比較の結果、また、カレンダー手段３が出力しているカレンダー情報（現在の時刻）がピークカット時間帯設定手段２で設定された時間帯内に入っていなければ、ＳＴＥＰ２をＮＯ側に分岐して、庫内温度調節手段４は通常運転を継続（ＳＴ
ＥＰ５からエンドに進んだ後、スタートに戻る）。
【０１２２】
時間の経過により、カレンダー手段３が出力しているカレンダー情報（現在の時刻）がピークカット時間帯設定手段２で設定された時間帯内に入れば、ＳＴＥＰ２をＹＥＳ側に分岐して、ＳＴＥＰ３に進み、ピークカット解除設定手段９でピークカット運転を解除する設定をしていれば、ＳＴＥＰ３をＮＯ側に分岐して、ＳＴＥＰ６に進む。
【０１２３】
ＳＴＥＰ６では、庫内温度検知手段１０によって検知された庫内温度と、ピークカット解除温度（あらかじめ、庫内の商品価値が下がらないように設定された温度で、冷却設定の場合は上限温度、加温設定の場合は下限温度）に到達しているかを判定し、庫内温度検知手段１０によって検知された庫内温度がピークカット解除温度に到達していなければ、ＳＴＥＰ６をＮＯ側に分岐して、ＳＴＥＰ４に進み、運転制御手段５が庫内温度調節手段４を停止して、ピークカット運転を開始する。
【０１２４】
そして、カレンダー手段３が出力しているカレンダー情報（現在の時刻）がピークカット時間帯設定手段２で設定された時間帯内に入っている間で、庫内温度検知手段１０によって検知された庫内温度がピークカット解除温度に到達していない内は、ＳＴＥＰ１をＹＥＳ側に分岐し、ＳＴＥＰ２をＹＥＳ側に分岐し、ＳＴＥＰ３をＮＯ側に分岐し、ＳＴＥＰ６をＮＯ側に分岐して、ＳＴＥＰ４に進み、ピークカット運転を継続する（庫内温度調節手段４は停止）。
【０１２５】
そして、時間の経過により、または、外気温の影響により、または、商品補充のために自動販売機の前面扉が開けられた影響により、庫内温度検知手段１０によって検知された庫内温度がピークカット解除温度に到達すれば、ＳＴＥＰ６をＹＥＳ側に分岐して、次のＳＴＥＰ７で、運転制御手段５が庫内温度調節手段４の運転を再開（ピークカット運転を終了）する。
【０１２６】
そして、ＳＴＥＰ７で、運転制御手段５が庫内温度調節手段４の運転を再開（ピークカット運転を終了）した後は、ピークカット終了時刻までに、庫内温度がピークカット解除温度に到達していない温度になっても、ピークカット運転に戻らない（ＳＴＥＰ７に進んだ後は、ピークカット時間帯から外れるまでは、ＳＴＥＰ８をＹＥＳ側に分岐して、ＳＴＥＰ７に戻るループを繰り返す）。
【０１２７】
一方、カレンダー手段３が出力しているカレンダー情報（現在の時刻）がピークカット時間帯設定手段２で設定された時間帯内に入っている間に、庫内温度検知手段１０によって検知された庫内温度がピークカット解除温度に到達しなくても、時間の経過により、カレンダー手段３が出力しているカレンダー情報（現在の時刻）がピークカット時間帯設定手段２で設定された時間帯から外れると、ＳＴＥＰ２をＮＯ側に分岐して、次のＳＴＥＰ５で、運転制御手段５が庫内温度調節手段４の運転を再開（ピークカット運転を終了）する。
【０１２８】
以上のように本実施の形態は、ピークカット解除設定手段９でピークカット運転を解除する設定をした場合には、運転制御手段５が、ピークカット運転中にピークカット運転を解除する所定条件（庫内温度検知手段１０によって検知され庫内温度が商品価値に影響が出てくる所定のピークカット解除温度に到達）を満たせば、ピークカット時間帯設定手段２で設定された時間帯から外れなくてもピークカット運転を解除し、逆に、ピークカット解除設定手段９でピークカット運転を解除しない設定をした場合には、運転制御手段５が、ピークカット運転中にピークカット運転を解除する所定条件を満たしてもピークカット時間帯設定手段２で設定された時間帯から外れるまで庫内温度調節手段４を停止する（ピークカット運転を継続する）ことを特徴とする。
【０１２９】
従来では、ピークカット運転により冷却装置の運転を停止している時に、冷却販売する商品が収納された庫内の温度が上昇して所定の上限温度に達した場合には、商品価値を損なわないように、通常運転に戻るようにしていたが、ピークカット解除設定手段９でピークカット運転を解除しない設定をした場合には、庫内温度に関係なく、ピークカット時間帯から外れるまで庫内温度調節手段４を停止できる。
【０１３０】
そのため、多少、商品価値を損なっても、消費電力量低減を優先しなければならない事情のある設置場所の自動販売機については、消費電力量低減を優先させる設定をして、自動販売機の年間消費電力量を従来よりも更に低減することができる。
【０１３１】
（実施の形態４）
図７は本発明の実施の形態４における自動販売機のピークカット運転に関連する要部の制御ブロック図、図８は同実施の形態における自動販売機の通常運転とピークカット運転と連続運転の切り替え動作を示すフローチャートである。
【０１３２】
本実施の形態は、図７に示すように、実施の形態３の構成に加えて、自動販売機の扉の開放時間を計測する扉開放時間計測手段１１を有している。
【０１３３】
そして、ピークカット解除設定手段９でピークカット運転を解除する設定をした場合には、ピークカット運転中にピークカット運転を解除する所定条件を満たし（庫内温度検知手段１０により検知した庫内温度がピークカット解除温度に到達し）、扉開放時間計測手段１１で計測した扉の開放時間が所定時間以上になった場合には、運転制御手段５が、所定条件を満たす（庫内温度検知手段１０により検知した庫内温度が設定温度に戻る）までピークカット運転を解除して庫内温度調節手段４を連続運転する。
【０１３４】
また、ピークカット解除設定手段９でピークカット運転を解除する設定をした場合には、ピークカット運転中にピークカット運転を解除する所定条件を満たし（庫内温度検知手段１０により検知した庫内温度がピークカット解除温度に到達し）、扉開放時間計測手段１１で所定時間以上の扉の開放を計測しなかった場合には、運転制御手段５が、ピークカット時間帯設定手段２で設定された時間帯から外れなくてもピークカット運転を解除するものである。
【０１３５】
なお、ピークカット解除設定手段９でピークカット運転を解除しない設定をした場合の動作と、その他の構成は、実施の形態３と同様であり、実施の形態３と同一構成については、同一符号を付して、その詳細な説明は省略する。
【０１３６】
以上のように構成された本実施の形態の自動販売機について、以下、図８を参照しながら、通常運転とピークカット運転と連続運転の切り替え動作を説明する。
【０１３７】
ここでは、ピークカット運転中にピークカット運転を解除する条件は、冷却販売する商品が収納された庫内の温度が上昇して商品価値に影響が出てくる所定のピークカット解除温度に到達した場合や加温販売する商品が収納された庫内の温度が低下して商品価値に影響が出てくる所定のピークカット解除温度に到達した場合である。
【０１３８】
最初は、ピークカット期間設定手段１で設定された期間前の状態（通常運転中）であったと仮定して、ピークカット解除設定手段９でピークカット運転を解除しない設定をしている場合から説明する。
【０１３９】
まず、ＳＴＥＰ１で、運転制御手段５が、カレンダー手段３が出力しているカレンダー
情報（現在の年月日）とピークカット期間設定手段１で設定された期間とを比較する。
【０１４０】
そして、ＳＴＥＰ１での比較の結果、まだ、カレンダー手段３が出力しているカレンダー情報（現在の年月日）がピークカット期間設定手段１で設定された期間内に入っていなければ、ＳＴＥＰ１をＮＯ側に分岐して、庫内温度調節手段４は通常運転を継続する（ＳＴＥＰ５からエンドに進んだ後、スタートに戻る）。
【０１４１】
時間の経過により、カレンダー手段３が出力しているカレンダー情報（現在の年月日）がピークカット期間設定手段１で設定された期間内に入れば、ＳＴＥＰ１をＹＥＳ側に分岐して、ＳＴＥＰ２に進む。
【０１４２】
次のＳＴＥＰ２では、運転制御手段５が、カレンダー手段３が出力しているカレンダー情報（現在の時刻）とピークカット時間帯設定手段２で設定された時間帯とを比較する。
【０１４３】
そして、ＳＴＥＰ２での比較の結果、また、カレンダー手段３が出力しているカレンダー情報（現在の時刻）がピークカット時間帯設定手段２で設定された時間帯内に入っていなければ、ＳＴＥＰ２をＮＯ側に分岐して、庫内温度調節手段４は通常運転を継続（ＳＴＥＰ５からエンドに進んだ後、スタートに戻る）。
【０１４４】
時間の経過により、カレンダー手段３が出力しているカレンダー情報（現在の時刻）がピークカット時間帯設定手段２で設定された時間帯内に入れば、ＳＴＥＰ２をＹＥＳ側に分岐して、ＳＴＥＰ３に進み、ピークカット解除設定手段９でピークカット運転を解除しない設定をしていれば、ＳＴＥＰ３をＹＥＳ側に分岐して、ＳＴＥＰ４に進み、運転制御手段５が庫内温度調節手段４を停止して、ピークカット運転を開始する。
【０１４５】
そして、カレンダー手段３が出力しているカレンダー情報（現在の時刻）がピークカット時間帯設定手段２で設定された時間帯内に入っている間は、ＳＴＥＰ１をＹＥＳ側に分岐し、ＳＴＥＰ２をＹＥＳ側に分岐し、ＳＴＥＰ３をＹＥＳ側に分岐して、ＳＴＥＰ４に進み、ピークカット運転を継続する（庫内温度調節手段４は停止）。
【０１４６】
時間の経過により、カレンダー手段３が出力しているカレンダー情報（現在の時刻）がピークカット時間帯設定手段２で設定された時間帯から外れると、ＳＴＥＰ２をＮＯ側に分岐して、次のＳＴＥＰ５で、運転制御手段５が庫内温度調節手段４の運転を再開（ピークカット運転を終了）する。
【０１４７】
次に、ピークカット解除設定手段９でピークカット運転を解除する設定をしている場合を説明する。
【０１４８】
まず、ＳＴＥＰ１で、運転制御手段５が、カレンダー手段３が出力しているカレンダー情報（現在の年月日）とピークカット期間設定手段１で設定された期間とを比較する。
【０１４９】
そして、ＳＴＥＰ１での比較の結果、まだ、カレンダー手段３が出力しているカレンダー情報（現在の年月日）がピークカット期間設定手段１で設定された期間内に入っていなければ、ＳＴＥＰ１をＮＯ側に分岐して、庫内温度調節手段４は通常運転を継続する（ＳＴＥＰ５からエンドに進んだ後、スタートに戻る）。
【０１５０】
時間の経過により、カレンダー手段３が出力しているカレンダー情報（現在の年月日）がピークカット期間設定手段１で設定された期間内に入れば、ＳＴＥＰ１をＹＥＳ側に分岐して、ＳＴＥＰ２に進む。
【０１５１】
次のＳＴＥＰ２では、運転制御手段５が、カレンダー手段３が出力しているカレンダー情報（現在の時刻）とピークカット時間帯設定手段２で設定された時間帯とを比較する。
【０１５２】
そして、ＳＴＥＰ２での比較の結果、また、カレンダー手段３が出力しているカレンダー情報（現在の時刻）がピークカット時間帯設定手段２で設定された時間帯内に入っていなければ、ＳＴＥＰ２をＮＯ側に分岐して、庫内温度調節手段４は通常運転を継続（ＳＴＥＰ５からエンドに進んだ後、スタートに戻る）。
【０１５３】
時間の経過により、カレンダー手段３が出力しているカレンダー情報（現在の時刻）がピークカット時間帯設定手段２で設定された時間帯内に入れば、ＳＴＥＰ２をＹＥＳ側に分岐して、ＳＴＥＰ３に進み、ピークカット解除設定手段９でピークカット運転を解除する設定をしていれば、ＳＴＥＰ３をＮＯ側に分岐して、ＳＴＥＰ６に進む。
【０１５４】
ＳＴＥＰ６では、庫内温度検知手段１０によって検知された庫内温度と、ピークカット解除温度（あらかじめ、庫内の商品価値が下がらないように設定された温度で、冷却設定の場合は上限温度、加温設定の場合は下限温度）に到達しているかを判定し、庫内温度検知手段１０によって検知された庫内温度がピークカット解除温度に到達していなければ、ＳＴＥＰ６をＮＯ側に分岐して、ＳＴＥＰ４に進み、運転制御手段５が庫内温度調節手段４を停止して、ピークカット運転を開始する。
【０１５５】
そして、カレンダー手段３が出力しているカレンダー情報（現在の時刻）がピークカット時間帯設定手段２で設定された時間帯内に入っている間で、庫内温度検知手段１０によって検知された庫内温度がピークカット解除温度に到達していない内は、ＳＴＥＰ１をＹＥＳ側に分岐し、ＳＴＥＰ２をＹＥＳ側に分岐し、ＳＴＥＰ３をＮＯ側に分岐し、ＳＴＥＰ６をＮＯ側に分岐して、ＳＴＥＰ４に進み、ピークカット運転を継続する（庫内温度調節手段４は停止）。
【０１５６】
そして、時間の経過により、または、外気温の影響により、または、商品補充のために自動販売機の前面扉が開けられた影響により、庫内温度検知手段１０によって検知された庫内温度がピークカット解除温度に到達すれば、ＳＴＥＰ６をＹＥＳ側に分岐して、次のＳＴＥＰ７に進む。
【０１５７】
ＳＴＥＰ７では、ピークカット運転中に扉開放時間計測手段１１で所定時間以上の扉の開放を計測しているかを判定し、扉開放時間計測手段１１で所定時間以上の扉の開放を計測していなければ、ＳＴＥＰ７をＮＯ側に分岐して、ＳＴＥＰ８に進み、運転制御手段５が庫内温度調節手段４の運転を再開（ピークカット運転を終了）する。
【０１５８】
そして、ＳＴＥＰ８で、運転制御手段５が庫内温度調節手段４の運転を再開（ピークカット運転を終了）した後は、ピークカット終了時刻までに、庫内温度がピークカット解除温度に到達していない温度になっても、ピークカット運転に戻らない（ＳＴＥＰ８に進んだ後は、ピークカット時間帯から外れるまでは、ＳＴＥＰ９をＹＥＳ側に分岐して、ＳＴＥＰ８に戻るループを繰り返す）。
【０１５９】
また、ＳＴＥＰ７で、ピークカット運転中に扉開放時間計測手段１１で所定時間以上の扉の開放を計測していれば、ＳＴＥＰ７をＹＥＳ側に分岐して、ＳＴＥＰ１０に進み、運転制御手段５が、庫内温度検知手段１０により検知した庫内温度が設定温度に戻るまで（ＳＴＥＰ１１をＹＥＳ側に分岐するまで）ＳＴＥＰ１１をＮＯ側に分岐して、ＳＴＥＰ１０に戻るループを繰り返して、ピークカット運転を解除して庫内温度調節手段４を連続運転する。
【０１６０】
そして、庫内温度調節手段４を連続運転した結果、ピークカット設定時間帯内（ピークカット終了時刻まで）に庫内温度検知手段１０により検知した庫内温度が設定温度に戻れば、ＳＴＥＰ６をＮＯ側に分岐して、ＳＴＥＰ４に進み、ピークカット運転を再開する（庫内温度調節手段４は停止）。
【０１６１】
一方、カレンダー手段３が出力しているカレンダー情報（現在の時刻）がピークカット時間帯設定手段２で設定された時間帯内に入っている間に、ピークカット運転のためにＳＴＥＰ６で庫内温度検知手段１０によって検知された庫内温度がピークカット解除温度に到達しなくても、時間の経過により、カレンダー手段３が出力しているカレンダー情報（現在の時刻）がピークカット時間帯設定手段２で設定された時間帯から外れると、ＳＴＥＰ２をＮＯ側に分岐して、次のＳＴＥＰ５で、運転制御手段５が庫内温度調節手段４の運転を再開（ピークカット運転を終了）する。
【０１６２】
なお、ＳＴＥＰ７で、ピークカット運転中に扉開放時間計測手段１１で所定時間以上の扉の開放を計測したことにより、ＳＴＥＰ７をＹＥＳ側に分岐して、次のＳＴＥＰ１０で、運転制御手段５が、ピークカット運転を解除して庫内温度調節手段４を連続運転する場合は、扉が閉まっていることを確認して（扉が、まだ開いている状態であったならば、扉が閉まるのを待って）庫内温度調節手段４を連続運転するものとする。
【０１６３】
また、ＳＴＥＰ７をＮＯ側に分岐して、次のＳＴＥＰ８で、運転制御手段５が庫内温度調節手段４の運転を再開（ピークカット運転を終了）する場合も、扉が閉まっていることを確認して（扉が、まだ開いている状態であったならば、扉が閉まるのを待って）庫内温度調節手段４を運転するものとする。
【０１６４】
このようにすることで、扉開放中の庫内温度調節手段４の運転による消費電力の無駄をなくすことができる。
【０１６５】
ここで、扉の開閉状態は、扉開放時間計測手段１１の計測値が、現在も増加していれば（扉開放時間計測用のタイマーが動作中であれば）扉が開いており、扉開放時間計測手段１１の計測値が、現在は増加していないのであれば（扉開放時間計測用のタイマーが停止中であれば）扉が閉まっていると判断できる。
【０１６６】
なお、図８のフローチャートでは、ピークカット運転中に扉開放時間計測手段１１で所定時間以上の扉の開放を計測したことによる庫内温度調節手段４の連続運転を、庫内温度が設定温度に戻るまで行うようにしているが、庫内温度調節手段４の連続運転により庫内温度が設定温度に戻る前にカレンダー手段３が出力しているカレンダー情報（現在の時刻）がピークカット時間帯設定手段２で設定された時間帯から外れた場合に、連続運転を通常運転に切り替えるようにしても構わない。
【０１６７】
以上のように本実施の形態は、ピークカット解除設定手段９でピークカット運転を解除する設定をした場合には、ピークカット運転中にピークカット運転を解除する所定条件を満たし（庫内温度検知手段１０により検知した庫内温度がピークカット解除温度に到達し）、扉開放時間計測手段１１で計測した扉の開放時間が所定時間以上になった場合には、運転制御手段５が、所定条件を満たす（庫内温度検知手段１０により検知した庫内温度が設定温度に戻る）までピークカット運転を解除して庫内温度調節手段４を連続運転する。
【０１６８】
そのため、ピークカット運転中に扉が所定時間以上開放された場合に、庫内温度調節手段４を連続運転して商品温度を元に戻した（補充された商品を保存温度にした）後に、ピークカット運転に戻すことができる。
【０１６９】
したがって、ピークカット運転中に、扉が所定時間以上開放されたことが原因で、冷却の場合、収納された庫内の温度が上昇（加温の場合は下降）して所定の上限温度（加温の場合は下限温度）に達すると、通常運転に戻す従来の自動販売機と異なる制御で、自動販売機の年間消費電力量の低減、または、電力需要の平準化に貢献できる。
【産業上の利用可能性】
【０１７０】
以上のように、本発明にかかる自動販売機は、ピークカット運転と通常運転、場合によっては連続運転の各運転をうまく切り替えることにより、自動販売機の年間消費電力量を従来よりも更に低減することができるものであり、飲料等の商品を冷却または加温して販売する自動販売機に最適であるが、節電のために庫内温度調節手段を停止することがあり得る家庭用冷蔵庫、業務用冷蔵庫、冷凍庫、温蔵庫、定温庫、冷蔵倉庫、定温倉庫等の庫内または室内を冷却または加温する用途にも適用できる。
【符号の説明】
【０１７１】
１    ピークカット期間設定手段
２    ピークカット時間帯設定手段
３    カレンダー手段
４    庫内温度調節手段
４ａ  庫内加熱手段
５    運転制御手段
８    ピークカット対象限定手段
９    ピークカット解除設定手段
１０  庫内温度検知手段
１１  扉開放時間計測手段
【図１】
2013065141.tif 000003
【図２】
2013065141.tif 000004
【図３】
2013065141.tif 000005
【図４】
2013065141.tif 000006
【図５】
2013065141.tif 000007
【図６】
2013065141.tif 000008
【図７】
2013065141.tif 000009
【図８】
2013065141.tif 000010